(57)【特許請求の範囲】
【請求項１】
上下に隣り合う上階部及び下階部と、
前記上階部と前記下階部とに架け渡された階段と、
前記上階部の上階床の下側に設けられ、該上階床を下方から支持する上階床梁と、
前記下階部に設けられ、当該下階部の下階床から上方に向けて延びた状態で前記階段を支持している階段支持体と、
前記階段支持体と前記上階床梁との間に設けられ、前記上階床梁を下方から支持している床支持部材と、
前記階段支持体の上において前記床支持部材に横並びに設けられ、前記階段において前記上階床よりも下の段の下段踏み板を下方から支持している踏み板支持部材と、
を備えていることを特徴とする建物。
【請求項２】
前記階段は、前記上階部と前記下階部とに跨った階段空間に設けられており、
前記上階床は、前記階段空間に向けて張り出した張り出し床部を有しており、
前記床支持部材は、前記張り出し床部の下側において前記上階床梁を下方から支持していることを特徴とする請求項１に記載の建物。
【請求項３】
前記上階床の下側に設けられ、前記上階床梁と交差する方向に延び且つ該上階床梁に接続された状態で前記上階床を下方から支持する交差床梁を備え、
前記張り出し床部においては、前記階段空間に向けて延びた一対の辺のうち一方が前記上階床梁に沿って延び、他方が前記交差床梁に沿って延びており、
前記床支持部材は、前記交差床梁と前記上階床梁との接続部分において該上階床梁を下方から支持していることを特徴とする請求項２に記載の建物。
【請求項４】
前記下段踏み板は、前記階段において踊り場を構成する踊り踏み板であることを特徴とする請求項１乃至３のいずれか１項に記載の建物。
【請求項５】
前記床支持部材と前記上階床梁とを連結した連結具を備えていることを特徴とする請求項１乃至４のいずれか１項に記載の建物。
【請求項６】
前記床支持部材は、左右一対の縦材と、これら縦材を連結する横材とを有しており、
前記連結具は、前記横材を貫通して前記上階床梁に打ち込まれたものであることを特徴とする請求項５に記載の建物。
【請求項７】
前記床支持部材と前記踏み板支持部材との間に設けられ、前記一対の縦材に架け渡された状態で前記床支持部材に固定された架け渡し板材と、
前記踏み板支持部材を貫通して前記架け渡し板材に打ち込まれていることで、前記踏み板支持部材を前記床支持部材に対して固定している固定具と、
を備えていることを特徴とする請求項６に記載の建物。
【請求項８】
前記踏み板支持部材と、前記下段踏み板と、該下段踏み板から下方に向けて延びた下段蹴込み板とが互いに固定されていることで下段階段ユニットが形成されていることを特徴とする請求項１乃至７のいずれか１項に記載の建物。
【請求項９】
前記階段支持体の上には、前記床支持部材及び前記踏み板支持部材を当該階段支持体から上方に離間した位置に配置するスペーサ部材が設けられていることを特徴とする請求項１乃至８のいずれか１項に記載の建物。
【発明の詳細な説明】
【技術分野】
【０００１】
本発明は、階段を備えた建物に関するものである。
【背景技術】
【０００２】
複数階建ての建物においては、上下階に跨る階段空間に階段が設置されており、この階段においては、最上段の踏み板が階段框として上階部の上階床に横並びに配置されている。上階部においては、上階床を下方から支持する床梁が設けられていることがあり、例えば、複数の建物ユニットを組み合わせて構築されたユニット式建物においては、２つの床大梁に架け渡された床小梁の上に床部が設置されている（例えば特許文献１参照）。この構成では、小梁を床梁と称することができ、床梁の両端のそれぞれが大梁により支持されていることで、床梁による上階床の支持強度が適正に保たれている。
【先行技術文献】
【特許文献】
【０００３】
【特許文献１】特開平９−２４２２８７号公報
【発明の概要】
【発明が解決しようとする課題】
【０００４】
しかしながら、階段の種類によっては上階部の床梁を下方から支持せざるを得ない場合がある。例えば、階段空間に平面視Ｊ字状の廻り階段が設置されたことなどに起因して、上階床の一部が階段空間に突出した構成では、その突出部分において床梁が床大梁や柱により片持ち支持された状態になっていることがある。この場合、床梁の自由端側を支持するには、床梁の下側に間柱等の床支持体を設置せざるを得ない。
【０００５】
ここで、階段を支持する間仕切壁等の階段支持体が階段空間に設けられた構成では、下階部の下階床において床支持体を階段支持体の側方位置に配置すると、上階部の床梁の位置や長さ寸法が階段支持体により制限されることになる。例えば、平面視において床支持体が階段支持体よりも上階床側に配置された場合、上階部の床梁を床支持体の分だけ階段支持体から離れた位置に配置すること、及び床梁の長さ寸法を床支持体の分だけ小さくすることのうち一方を選択せざるを得ない。
【０００６】
本発明は、上記事情に鑑みてなされたものであり、上階床及び階段を好適に設置することを主たる目的とするものである。
【課題を解決するための手段】
【０００７】
以下、上記課題を解決するのに有効な手段等につき、必要に応じて作用、効果等を示しつつ説明する。なお以下においては、理解の容易のため、発明の実施の形態において対応する構成を括弧書き等で適宜示すが、この括弧書き等で示した具体的構成に限定されるものではない。
【０００８】
第１の発明の建物は、上下に隣り合う上階部（二階部分１５）及び下階部（一階部分１４）と、前記上階部と前記下階部とに架け渡された階段（階段１７）と、前記上階部の上階床（二階床１５ａ）の下側に設けられ、該上階床を下方から支持する上階床梁（第１床梁４１ａ）と、前記下階部に設けられ、当該下階部の下階床（一階床１４ａ）から上方に向けて延びた状態で前記階段を支持している階段支持体（中間壁部３３）と、前記階段支持体と前記上階床梁との間に設けられ、前記上階床梁を下方から支持している床支持部材（床支持部材８１）と、前記階段支持体の上において前記床支持部材に横並びに設けられ、前記階段において前記上階床よりも下の段の下段踏み板（踊り踏み板１８ｃ）を下方から支持している踏み板支持部材（踊り支持部材４７ａ）と、を備えていることを特徴とする。
【０００９】
第１の発明によれば、床支持部材が階段支持体の上に設置されているため、上階床梁を下方から支持する支持構造を実現した上で、上階床梁の位置や長さ寸法が階段支持体により制限されない構成を実現できる。具体的には、平面視において上階床梁を床支持部材の分だけ階段支持体から離れた位置に配置すること、及び上階床梁の長さ寸法を床支持部材の分だけ小さくすることのうち一方を選択する必要がない。したがって、階段支持体を利用することで、上階床梁の設置態様に関する自由度を高めることができる。
【００１０】
しかも、階段支持体の上においては、床支持部材の側方に踏み板支持部材の設置スペースが確保されているため、踏み板支持部材を階段支持体の上に載せた状態で階段支持体に対する踏み板支持部材（下段踏み板）の固定作業を行うことができる。このため、踏み板支持部材の固定作業に際して下段踏み板の設置位置が上下にずれるということが生じにくくなっている。
【００１１】
以上により、上階床及び階段を好適に設置することができる。
【００１２】
第２の発明では、第１の発明において、前記階段は、前記上階部と前記下階部とに跨った階段空間（階段空間１６）に設けられており、前記上階床は、前記階段空間に向けて張り出した張り出し床部（張り出し床部３１）を有しており、前記床支持部材は、前記張り出し床部の下側において前記上階床梁を下方から支持している。
【００１３】
第２の発明によれば、張り出し床部については、その自重や上に乗った人の重さにより先端部の荷重負担が大きくなるが、こうした荷重負担を床支持部材により好適に支えることができる。このため、張り出し床部を使用することで階段の種類に関する自由度を高めた上で、張り出し床部及び階段についての幅寸法や設置位置が制限されることを抑制できる。
【００１４】
第３の発明では、第２の発明において、前記上階床の下側に設けられ、前記上階床梁と交差する方向に延び且つ該上階床梁に接続された状態で前記上階床を下方から支持する交差床梁（第２床梁４１ｂ）を備え、前記張り出し床部においては、前記階段空間に向けて延びた一対の辺のうち一方（第１辺３１ａ）が前記上階床梁に沿って延び、他方（第２辺３１ｂ）が前記交差床梁に沿って延びており、前記床支持部材は、前記交差床梁と前記上階床梁との接続部分において該上階床梁を下方から支持している。
【００１５】
第３の発明によれば、上階床梁及び交差床梁の両方について、それぞれの先端部に対する荷重負担が大きくなることが懸念されるが、これら上階床梁及び交差床梁の各先端部に対する荷重を床支持部材によりまとめて支えることができる。このため、張り出し床部については、階段空間に向けて延びた一対の辺の両方について、先端部に加えられる荷重を床支持部材により好適に支えることができる。
【００１６】
第４の発明では、第１乃至第３のいずれかの発明において、前記下段踏み板は、前記階段において踊り場を構成する踊り踏み板（踊り踏み板１８ｃ）である。
【００１７】
第４の発明によれば、床支持部材により踊り踏み板を好適に支持することができる。踊り踏み板においては、上段側の昇降方向と下段側の昇降方向とが異なることになる。この場合、平面視において上階床梁を上階支持部の分だけ階段支持体から離れた位置に配置することや、上階床梁の長さ寸法を床支持部材の分だけ小さくすることは、踊り踏み板を階段支持体から離間することや、踊り踏み板において上段側の幅寸法を小さくすること、下段側の幅寸法を小さくすることになってしまう。このため、床支持部材が階段支持体の上に設置された構成を実現する（本発明を第１の発明に適用する）ことで、踊り踏み板の設置位置や大きさ、形状に関する自由度を高めることができる。
【００１８】
第５の発明では、第１乃至第４のいずれかの発明において、前記床支持部材と前記上階床梁とを連結した連結具（第５ビス８７）を備えている。
【００１９】
床支持部材の上に上階床梁が載せられた構成では、人が上階床の上に乗るなどして上階床梁が床支持部材に対して相対的に移動した場合、これら上階床梁と床支持部材との接触に伴う床鳴りが発生することが懸念される。これに対して、第５の発明によれば、床支持部材に対する上階床梁の相対的な移動が連結具により規制されているため、床支持部材と上階床部との間で床鳴りが発生することを抑制できる。
【００２０】
第６の発明では、第５の発明において、前記床支持部材は、左右一対の縦材（縦枠材８１ａ）と、これら縦材を連結する横材（上枠材８１ｂ）とを有しており、前記連結具は、前記横材を貫通して前記上階床梁に打ち込まれたものである。
【００２１】
第６の発明によれば、床支持部材においては、その高さ寸法が縦材により設定されるため、横材の高さ寸法（厚み寸法）を床支持部材の高さ寸法に関係なく設定することが可能になっている。このため、床支持部材の高さ寸法を階段支持体と上階床梁との離間距離に合わせて設定しても、この離間距離よりも短い連結具を用いて床支持部材を上階床梁に固定することができる。この場合、連結具として長尺の専用ビスや専用釘を使用するのではなく汎用品のビスや釘を使用することが可能になるため、コスト負担の低減を実現できる。
【００２２】
なお、横材は一対の縦材の間に配置されていることが好ましい。これにより、横材の厚み寸法に関係なく縦材の長さ寸法により床支持部材の高さ寸法が設定される構成を実現できる。
【００２３】
第７の発明では、第６の発明において、前記床支持部材と前記踏み板支持部材との間に設けられ、前記一対の縦材に架け渡された状態で前記床支持部材に固定された架け渡し板材（第１重ね板材８４）と、前記踏み板支持部材を貫通して前記架け渡し板材に打ち込まれていることで、前記踏み板支持部材を前記床支持部材に対して固定している固定具（第７ビス８９）と、を備えている。
【００２４】
床支持部材が一対の縦材を有している構成では、ビス等の固定具が一対の縦材の間に打ち込まれることがある。この場合、固定具を用いて踏み板支持部材を床支持部材に固定する際に、踏み板支持部材を貫通した固定具が縦材に適正に打ち込まれずに、床支持部材に対する踏み板支持部材の固定強度が不足することが懸念される。
【００２５】
これに対して、第７の発明によれば、踏み板支持部材を貫通した固定具が架け渡し板材に打ち込まれることで、踏み板支持部材を床支持部材に対して間接的に固定することができる。この場合、固定具の打ち込み位置が一対の縦材の間であっても、この固定具は架け渡し板材に確実に打ち込まれるため、床支持部材に対する踏み板支持部材の固定強度を適正に確保することができる。
【００２６】
第８の発明では、第１乃至第７のいずれかの発明において、前記踏み板支持部材と、前記下段踏み板と、該下段踏み板から下方に向けて延びた下段蹴込み板（蹴込み板１９ｃ）とが互いに固定されていることで下段階段ユニット（踊りユニット４７）が形成されている。
【００２７】
踏み板支持部材の上に下段踏み板が載せられた構成では、人が下段踏み板の上に乗るなどして下段踏み板が踏み板支持部材に対して相対的に移動した場合、これら下段踏み板と踏み板支持部材との接触に伴う床鳴りが発生することが懸念される。これに対して、第８の発明によれば、下段階段ユニットにおいては、踏み板支持部材が下段踏み板に対してあらかじめ固定されているため、踏み板支持部材と下段踏み板との間で床鳴りが発生することを抑制できる。
【００２８】
しかも、下段階段ユニットよりも前に、床支持部材を階段支持体の上に設置しておくことで、踏み板支持部材を設置するためのスペースを階段支持体の上に確保しておくことができる。ここで、下段階段ユニットは、下段踏み板が含まれることで大型化することが想定されるが、仮に大型化していても階段支持体の上に仮置きした状態で、下段階段ユニットの固定作業を行うことができる。したがって、踏み板支持部材、下段踏み板及び下段蹴込み板をユニット化することで却って作業負担が増加するということを抑制できる。
【００２９】
第９の発明では、第１乃至第８のいずれかの発明において、前記階段支持体の上には、前記床支持部材及び前記踏み板支持部材を当該階段支持体から上方に離間した位置に配置するスペーサ部材（スペーサ部材８２）が設けられている。
【００３０】
第９の発明によれば、スペーサ部材により床支持部材及び踏み板支持部材の高さ位置を設定することができるため、これら支持部材が大型化することを抑制できる。このため、床支持部材及び踏み板支持部材を用いて上階床及び下段踏み板を設置する際に、作業負担が大きくなることや、作業精度が低下することを抑制できる。
【００３１】
なお、階段支持体が下階の柱や間仕切壁により形成されている構成では、柱や間仕切壁の高さ寸法が構造上の観点から制限されることが想定される。例えば、複数の建物ユニットを用いて構築されたユニット式建物においては、下階部の建物ユニットの柱や間仕切壁がドッキングラインを越えて上方に延びないように構成されている。このため、階段支持体の上にスペーサ部材を設置することは、床支持部材や踏み板支持部材の大型化を抑制する上で効果的である。
【図面の簡単な説明】
【００３２】
【図１】第１の実施形態における建物の概略図。
【図２】建物ユニットの構成を示す斜視図。
【図３】階段の平面図。
【図４】階段下空間の平面図。
【図５】二階建物ユニットの床部分の平面図。
【図６】階段の分解平面図。
【図７】下側の直階段部の縦断面図。
【図８】階段の最下段周辺の縦断面図であり、（ａ）に最下段の踏み板を取り付けた後の図を示し、（ｂ）に最下段の踏み板を取り付ける前の図を示す。
【図９】図３のＡ−Ａ線断面図。
【図１０】図３のＢ−Ｂ線断面図。
【図１１】踊り踏み板周辺の階段の分解斜視図。
【図１２】図３のＣ−Ｃ線断面図。
【図１３】床支持ユニット周辺の分解斜視図。
【図１４】第２の実施形態における建物の概略図。
【図１５】上側建物ユニットの床部分の平面図。
【図１６】階段周辺の建物の縦断面図。
【発明を実施するための形態】
【００３３】
［第１の実施形態］
以下、本発明を具体化した一実施形態について図面を参照しつつ説明する。本実施形態では、本発明の階段構造を、鉄骨ラーメン構造を有する二階建てユニット式建物において具体化している。まず、ユニット式建物について、図１、図２を参照しつつ説明する。図１は建物１０の概略図、図２は建物ユニット２０の構成を示す斜視図である。
【００３４】
図１に示すように、住宅等の建物１０は、基礎１１の上に設けられた建物本体１２を有しており、建物本体１２の上には屋根が設けられている。建物本体１２は、下階部としての一階部分１４と、上階部としての二階部分１５とを有しており、これら一階部分１４と二階部分１５とは上下に隣り合っている。一階部分１４においては床面が一階床１４ａにより形成され、二階部分１５においては床面が二階床１５ａにより形成されている。これら床１４ａ，１５ａは、それぞれ床面材２９を含んで構成されている。なお、一階床１４ａが下階床に相当し、二階床１５ａが上階床に相当する。
【００３５】
建物１０は、一階部分１４と二階部分１５とに跨って設けられた階段空間１６と、この階段空間１６に設けられた階段１７とを有している。階段１７は、複数の踏み板１８と、複数の蹴込み板１９とを有しており、一階部分１４と二階部分１５との行き来を可能にしている。複数の踏み板１８には、二階床１５ａに対して固定された上框としての階段框１８ａが含まれている。階段框１８ａは最上段の踏み板１８であり、階段框１８ａの上面は、二階床１５ａの床面と同一平面を形成している。
【００３６】
建物１０は、複数の建物ユニット２０が組み合わされることで構築されており、一階部分１４及び二階部分１５は、いずれも複数の建物ユニット２０を有している。各建物ユニット２０は、全体として直方体状に形成されている。
【００３７】
図２に示すように、建物ユニット２０は、四隅に配置された柱２１と、柱２１の上端部（上仕口）に連結された天井大梁２２と、柱２１の下端部（下仕口）に連結された床大梁２３とを有しており、これら柱２１、天井大梁２２、床大梁２３により直方体状の骨格（ユニット躯体）が形成されている。柱２１は四角筒状の角形鋼よりなる。また、天井大梁２２及び床大梁２３は断面コ字状の溝形鋼よりなり、溝部開放側を互いに向き合わせるようにユニット内側に向けて配置されている。
【００３８】
建物ユニット２０において長辺部（桁面）に沿って延び且つ相対する天井大梁２２の間には、所定間隔で複数の天井小梁２５が架け渡されている。同じく長辺部に沿って延び且つ相対する床大梁２３の間には、所定間隔で複数の床小梁２６が架け渡されている。天井小梁２５及び床小梁２６は、それぞれ同一の間隔で且つ短辺側（妻側）の天井大梁２２及び床大梁２３と平行に延びている。天井小梁２５及び床小梁２６はそれぞれリップ溝形鋼よりなる。天井小梁２５によって天井面材２８が支持され、床小梁２６によって床面材２９が支持されている。
【００３９】
次に、階段１７について図１、図３〜図６を参照しつつ説明する。図３は階段１７の平面図、図４は階段下空間３５の平面図、図５は上側建物ユニット２０Ｂの床部分の平面図、図６は階段１７の分解平面図である。
【００４０】
図３に示すように、階段１７は、昇降方向が直線的に延びている一対の直階段部１７ａ，１７ｂと、昇降方向を変更する廻り階段部１７ｃ，１７ｄとを有しており、平面視でロ字状の廻り階段になっている。階段１７においては、直階段部１７ａ，１７ｂが互いに平行に延びており、下側の廻り階段部１７ｃは、下側の直階段部１７ａと上側の直階段部１７ｂとに架け渡され、上側の廻り階段部１７ｄは、上側の直階段部１７ｂと二階床１５ａとに架け渡されている。この場合、階段框１８ａは、上側の廻り階段部１７ｄに含まれている。また、下側の直階段部１７ａは、一階床１４ａから斜め上方に向けて延びており、この直階段部１７ａには、最下段の踏み板１８ｂが含まれている。なお、下側の廻り階段部１７ｃは、昇降方向を１８０度変更するものであり、上側の廻り階段部１７ｄは、昇降方向を９０度だけ変更する曲がり階段部になっている。この場合、廻り階段部は曲がり階段部の一種であることになる。
【００４１】
階段１７において、複数の踏み板１８には、昇降方向を変更する踊り場を形成した踊り踏み板１８ｃが含まれている。踊り踏み板１８ｃは、上から２段目（階段框１８ａの下段）に配置されており、上側の廻り階段部１７ｄに含まれている。この場合、階段框１８ａ及び踊り踏み板１８ｃの２つが踏み板１８として上側の廻り階段部１７ｄに含まれている。
【００４２】
ここで、上から３段目の踏み板１８と階段框１８ａとは互いに直交する方向に延びており、踊り踏み板１８ｃは、平面視で、上から３段目の踏み板１８と階段框１８ａとの入隅部分に配置されている。上から３段目の踏み板１８と階段框１８ａとはほぼ同じ幅寸法（例えば９００ｍｍ）を有しており、これによって、踊り踏み板１８ｃは平面視で略正方形状に形成されている。
【００４３】
階段空間１６は、平面視で矩形状に形成されており、二階床１５ａは、平面視において階段空間１６の１つの隅角部から内側に向けて張り出した張り出し床部３１を有している。張り出し床部３１は、平面視で略正方形状に形成されており、平面視において、直階段部１７ａ，１７ｂの並び方向に沿って踊り踏み板１８ｃに横並びに配置されているとともに、直階段部１７ａ，１７ｂの昇降方向に沿って下側の直階段部１７ａに横並びに配置されている。なお、張り出し床部３１は、二階部分１５において階段１７への行き来を可能にする通路床と称することもできる。また、図３においては、張り出し床部３１をドットハッチングにて図示している。
【００４４】
ちなみに、建物１０においては、平面視において二階床１５ａが設置されていない非設置領域を吹き抜け空間と称することができる。このため、階段空間１６においては、平面視において張り出し床部３１が存在しない領域が吹き抜け空間に相当する。
【００４５】
建物１０は、階段空間１６の周縁部に沿って延びた周縁壁部３２と、一対の直階段部１７ａ，１７ｂの間に設けられた中間壁部３３とを有しており、階段１７は、これら壁部３２，３３に取り付けられている。周縁壁部３２は、階段１７の外周側に配置されており、階段１７の上側及び下側（一階部分１４及び二階部分１５）のそれぞれにおいて階段空間１６を区画している。中間壁部３３は、直階段部１７ａ，１７ｂの昇降方向に沿って延びており、階段１７の上側及び下側のそれぞれにおいて階段空間１６を仕切っている。
【００４６】
なお、中間壁部３３は、一階部分１４において階段空間１６を仕切っている間仕切部分と、この間仕切部分の上に設けられた手摺部分とを有している。間仕切部分は、一階部分１４において床から天井に向けて延びており、手摺部分は、一階部分１４の天井よりも高い位置に配置された腰壁になっている。
【００４７】
また、建物１０は、周縁壁部３２と中間壁部３３とを連結する連結壁部３４を有している。連結壁部３４は、二階床１５ａから上方に向けて延びた腰壁部であり、平面視での直階段部１７ａ，１７ｂの並び方向において張り出し床部３１の端部に沿って延びている。この場合、中間壁部３３においては、階段框１８ａ側の端部に連結壁部３４が接続されている。
【００４８】
張り出し床部３１においては、隣り合う２つの辺３１ａ，３１ｂが周縁壁部３２から階段空間１６の内側に向けて延びている。これら辺３１ａ，３１ｂのうち第１辺３１ａは、中間壁部３３に直交する方向において連結壁部３４に沿って延びており、第２辺３１ｂは、第１辺３１ａに直交する方向において階段框１８ａに沿って延びている。これら辺３１ａ，３１ｂは、いずれも周縁壁部３２と中間壁部３３とに架け渡された状態になっている。
【００４９】
階段空間１６においては、階段１７の下側に階段下空間３５が設けられている。図４に示すように、階段下空間３５は、周縁壁部３２及び中間壁部３３に加えて階段下壁部３６により区画された収納室３７Ａ，３７Ｂを有しており、これら収納室３７Ａ，３７Ｂは、階段下壁部３６により仕切られている。第１収納室３７Ａは、下側の廻り階段部１７ｃ及び上側の直階段部１７ｂの下方に配置され、第２収納室３７Ｂは、上側の廻り階段１７の下方に配置されている。階段下壁部３６は、階段１７の下側に配置された間仕切壁であり、周縁壁部３２と中間壁部３３とに架け渡された状態で複数設けられている。なお、階段下空間３５において、下側の直階段部１７ａの下方スペースは、収納室３７Ａ，３７Ｂには含まれていない。
【００５０】
周縁壁部３２には、階段下開口部３８が設けられており、この階段下開口部３８を通じて収納室３７Ａ，３７Ｂへの人の出入りや物品の出し入れが可能になっている。なお、階段下開口部３８には開き戸が設けられている。
【００５１】
図１に示すように、建物１０において、複数の建物ユニット２０には、一階部分１４において階段１７の設置対象になっている下側建物ユニット２０Ａと、二階部分１５において階段１７の設置対象になっている上側建物ユニット２０Ｂとが含まれている。下側建物ユニット２０Ａには、天井小梁２５が設置されていない非設置領域（図示略）が設けられ、上側建物ユニット２０Ｂには、床小梁２６が設置されていない非設置領域Ｓ（図５参照）が設けられており、これら非設置領域に階段空間１６が配置されている。
【００５２】
図５に示すように、上側建物ユニット２０Ｂにおいては、床小梁２６が２つだけ設けられており、これら床小梁２６の間の領域が非設置領域Ｓになっている。この非設置領域Ｓには、二階床１５ａの張り出し床部３１を支持する床梁４１ａ〜４１ｃが設けられている。これら床梁４１ａ〜４１ｃのうち第１床梁４１ａは、張り出し床部３１の第１辺３１ａに沿って延びており、第２床梁４１ｂは、張り出し床部３１の第２辺３１ｂに沿って延びている。上側建物ユニット２０Ｂにおいては、その短手方向に第１床梁４１ａが延び、その長手方向に第２床梁４１ｂが延びており、これら第１床梁４１ａと第２床梁４１ｂとは、互いに交差した状態で先端部同士が連結されている。この場合、第１床梁４１ａは、床大梁２３と第２床梁４１ｂとに架け渡され、第２床梁４１ｂは、床小梁２６と第１床梁４１ａとに架け渡されている。第３床梁４１ｃは、第１床梁４１ａに平行に延びた状態で、第２床梁４１ｂの中間部分と床大梁２３とに架け渡されている。
【００５３】
なお、第１床梁４１ａは、上階床としての二階床１５ａを下方から支持する上階床梁に相当し、第２床梁４１ｂは、上階床に交差する交差床梁に相当する。
【００５４】
なお、上側建物ユニット２０Ｂの非設置領域Ｓには、床梁４１ａ〜４１ｃに加えて、上側建物ユニット２０Ｂの長手方向に延びた長手小梁４２と、長手小梁４２に接続された補助小梁４３とが設けられている。長手小梁４２は、２つの床小梁２６に架け渡されており、補助小梁４３は、長手小梁４２とその長手小梁４２に平行に延びる床大梁２３とを連結している。
【００５５】
図６に示すように、階段１７は複数の階段ユニット４５を有している。各階段ユニット４５は、踏み板１８及び蹴込み板１９を複数有しており、階段１７の昇降方向に沿って並べられている。最下段の踏み板１８ｂは、これら階段ユニット４５に含まれていない。ここで、複数の階段ユニット４５のうち、最も下の位置に配置された最下位階段ユニット４５ａは、最下段の踏み板１８ｂを有していない一方で、下から２段目の踏み板１８ｄを有している。階段ユニット４５は工場にて製造されるものであり、建築現場に運搬された後、最下位階段ユニット４５ａに対して最下段の踏み板１８ｂ及び最下段の蹴込み板１９ｂが取り付けられることで下側の直階段部１７ａが構築されている。
【００５６】
階段１７は、複数の階段ユニット４５に加えて、階段框１８ａを含んで構成された階段框ユニット４６と、踊り踏み板１８ｃを含んで構成された踊りユニット４７とを有している。階段框ユニット４６は、階段框１８ａに加えて、その階段框ユニット４６から下方に向けて延びた蹴込み板１９ａ（図１参照）を有している。踊りユニット４７は、踊り踏み板１８ｃに加えて、その踊り踏み板１８ｃから下方に向けて延びた蹴込み板１９ｃ（図１参照）を有している。階段框ユニット４６及び踊りユニット４７は、上側の廻り階段部１７ｄを構成している。
【００５７】
次に、階段１７の最下段の構成について図７、図８を参照しつつ説明する。図７は下側の直階段部１７ａの縦断面図、図８は階段１７の最下段周辺の縦断面図である。なお、図７においては、最下位階段ユニット４５ａの構成を明確に示すために、最下段の踏み板１８ｂ、蹴込み板１９ｂ、他の階段ユニット４５及び巾木５２を一点鎖線にて図示している。図８においては、（ａ）に最下段の踏み板１８ｂを取り付けた後の図を示し、（ｂ）に最下段の踏み板１８ｂを取り付ける前の図を示す。
【００５８】
図７に示すように、最下位階段ユニット４５ａは、階段１７の昇降方向に延びた側桁部５１を有している。側桁部５１は、階段１７の幅方向に並べて一対設けられており、踏み板１８及び蹴込み板１９は、これら側桁部５１に架け渡された状態で設けられている。側桁部５１は、ささら桁のように階段状に形成されていることで上方を向いた載置面を複数有しており、踏み板１８は載置面に載せられ、蹴込み板１９は、載置面から下方に延びた前側端面に重ねられている。また、側桁部５１は、ビス等が側桁部５１を通じて周縁壁部３２や中間壁部３３に打ち込まれることでこれら壁部３２，３３に固定されている。
【００５９】
周縁壁部３２や中間壁部３３には、これら壁部３２，３３と踏み板１８及び蹴込み板１９との境界部に沿って延びた巾木５２が取り付けられている。壁部３２，３３に対する巾木５２の取り付け作業は、階段１７が周縁壁部３２や中間壁部３３に取り付けられた後に行われる。
【００６０】
図８（ａ）に示すように、一階床１４ａの床面材２９は、合板等の床下地面材２９ａと、フローリング材等の床仕上面材２９ｂとを有している。床下地面材２９ａは、床小梁２６の上に設置されており、床仕上面材２９ｂは、床下地面材２９ａの上に重ねられている。ここで、階段下空間３５においては、収納室３７Ａ，３７Ｂの全体に床仕上面材２９ｂが設けられている一方で、下側の直階段部１７ａの下方には基本的に床仕上面材２９ｂが設けられていない。ただし、最下段の蹴込み板１９ｂの下方位置には床仕上面材２９ｂが設けられている。
【００６１】
最下段の踏み板１８ｂは、最下位階段ユニット４５ａの側桁部５１及び下から２段目の蹴込み板１９ｄに対して、ビスや接着剤等により固定されている。踏み板１８ｂは、側桁部５１の最下段の載置面の上に載せられており、この載置面に対して接着剤により接合されている。また、踏み板１８ｂは、桁側下地５４を介して側桁部５１に固定されている。桁側下地５４は、踏み板１８ｂの奥行き方向に延びた木製の横長部材であり、踏み板１８ｂの下側に配置されている。この場合、桁側下地５４は、接着剤やビス等により踏み板１８ｂの下面に固定されているとともに、第１ビス５５により側桁部５１の内側板面に固定されている。第１ビス５５は、桁側下地５４を貫通して側桁部５１に打ち込まれている。また、第１ビス５５は、踏み板１８ｂの奥行き方向において所定間隔で複数配置されており、最下段の踏み板１８ｂを側桁部５１に固定する桁側固定具に相当する。
【００６２】
最下段の踏み板１８ｂは、下から２段目の蹴込み板１９ｄに対して第２ビス５６により固定されている。この蹴込み板１９は、踏み板１８ｂの奥側端面に重ねられており、第２ビス５６は、この蹴込み板１９を貫通して踏み板１８ｂの奥側端面に打ち込まれている。また、第２ビス５６は、踏み板１８ｂの幅方向において所定間隔で複数配置されている。
【００６３】
最下段の蹴込み板１９ｂは、最下位階段ユニット４５ａの側桁部５１、最下段の踏み板１８ｂ及び一階床１４ａに対して、ビスや接着剤等により固定されている。蹴込み板１９ｂは、側桁部５１の前側端面に重ねられており、この前側端面に対して接着剤により接合されている。また、蹴込み板１９ｂの奥側には、蹴込み板１９ｂの上端が奥側に移動することを規制する規制部材としての蹴込み下地６１が設けられている。蹴込み下地６１は、踏み板１８ｂの幅方向に延びた木製の横長部材であり、桁側下地５４の手前側において踏み板１８ｂと蹴込み板１９ｂとの入隅部分に配置されている。この場合、蹴込み下地６１は、接着剤やビス等により踏み板１８ｂの下面に固定されているとともに、接着剤により蹴込み板１９ｂの奥側板面に固定されている。
【００６４】
踏み板１８ｂの下面には、蹴込み板１９ｂの上端部が下方から入り込んだ受け溝部６２が設けられている。受け溝部６２は、下方に向けて開放された凹部であり、踏み板１８ｂの幅方向に延びている。この場合、蹴込み板１９ｂの上端部は、接着剤により受け溝部６２の内周面に固定されている。
【００６５】
また、蹴込み板１９ｂは、床側下地６３を介して一階床１４ａに固定されている。床側下地６３は、蹴込み板１９ｂの幅方向に延びた木製の横長部材であり、蹴込み板１９ｂの奥側において踏み板１８ｂと蹴込み板１９ｂとの入隅部分に配置されている。床側下地６３は、接着剤により蹴込み板１９ｂの奥側板面に固定されているとともに、第３ビス６４により床面材２９に固定されている。第３ビス６４は、床側下地６３及び床仕上面材２９ｂを貫通して床下地面材２９ａに打ち込まれている。また、第３ビス６４は、蹴込み板１９ｂの幅方向において所定間隔で複数配置されており、最下段の蹴込み板１９ｂを一階床１４ａに固定する床側固定具に相当する。
【００６６】
床側下地６３は、第３ビス６４が打ち込まれた打ち込み面６３ａと、打ち込み面６３ａの上端部から水平に延びた上端面６３ｂとを有している。上端面６３ｂは、打ち込み面６３ａよりも蹴込み板１９ｂ側に配置されており、打ち込み面６３ａは、上端面６３ｂから斜め下方に向けて階段奥側に延びている。床側下地６３においては、打ち込み面６３ａ及び上端面６３ｂにより上面が形成されている。なお、上端面６３ｂに対する打ち込み面６３ａの傾斜角度は、例えば３０度〜４５度に設定されている。
【００６７】
次に、階段１７の最下段の構築手順について説明する。建物１０においては、まず、一階床１４ａや周縁壁部３２、中間壁部３３を構築しておき、工場にて製造しておいた最下位階段ユニット４５ａを周縁壁部３２及び中間壁部３３に対して固定する。このように、最下位階段ユニット４５ａを一階床１４ａの上に設置する工程が第１工程に相当する。
【００６８】
その一方で、図８（ｂ）に示すように、あらかじめ最下段の蹴込み板１９ｂに床側下地６３を固定しておき、この状態の蹴込み板１９ｂを床仕上面材２９ｂの上に載置し、第３ビス６４を床側下地６３に対して上方から打ち込む。この場合、作業者は、最下段の蹴込み板１９ｂと下から２段目の蹴込み板１９ｄとの間から工具や手を差し入れることができるため、鉛直方向に対する第３ビス６４の傾きが極力小さくなるように第３ビス６４の打ち込み作業を行うことが容易になる。つまり、作業者は、第３ビス６４を床側下地６３に打ち込んだ勢いで最下段の蹴込み板１９ｂの位置が階段手前側にずれるということが生じにくい体勢で第３ビス６４の打ち込み作業を行うことができる。
【００６９】
なお、最下段の蹴込み板１９ｂを一階床１４ａに対して固定する工程が第２工程に相当する。第２工程においては、蹴込み板１９ｂに床側下地６３を固定する工程が床側下地工程に相当し、蹴込み板１９ｂを側桁部５１の側端面に重ねる工程がこの蹴込み板１９ｂを最下位階段ユニット４５ａに対する所定位置にセットする床側セット工程に相当し、第３ビス６４を床側下地６３及び一階床１４ａに打ち込む工程が床側打ち込み工程に相当する。
【００７０】
その後、図８（ａ）に示すように、あらかじめ最下段の踏み板１８ｂに桁側下地５４及び蹴込み下地６１を固定しておき、この状態の踏み板１８ｂを最下位階段ユニット４５ａの側桁部５１の載置面及び最下段の蹴込み板１９ｂの上端面の上に載せる。そして、踏み板１８ｂの下側において第１ビス５５を桁側下地５４に対して側方から打ち込み、第２ビス５６を下から２段目の蹴込み板１９ｄに対して階段後方から打ち込む。この場合、作業者は、最下位階段ユニット４５ａの下側スペースに身体を入り込ませた姿勢で第１ビス５５及び第２ビス５６の打ち込み作業を行うことになるが、第１ビス５５の打ち込み作業に際しては、工具を適正に使用可能な作業スペースを一対の側桁部５１の間において適正に確保することができ、第２ビス５６の打ち込み作業に際しては、作業スペースを下から２段目の蹴込み板１９ｄの後方において適正に確保することができる。
【００７１】
これに対して、階段１７の最下段について、蹴込み板１９ｂ、踏み板１８ｂの順で取り付けるのではなく、踏み板１８ｂ、蹴込み板１９ｂの順で取り付けた場合、第１ビス５５及び第２ビス５６の打ち込み作業を行うための作業スペースを確保することはできるが、第３ビス６４の打ち込み作業を行うための作業スペースを確保することが困難になる。具体的には、第３ビス６４の打ち込み作業を行う時には、既に最下段の踏み板１８ｂが設置されているため、工具を適正に使用可能な作業スペースを一階床１４ａと踏み板１８ｂとの間に確保することが困難になる。この場合、一階床１４ａと踏み板１８ｂとの間において工具を適正に使用するには、第３ビス６４の打ち込み方向を鉛直方向に対して大きく傾斜させざるを得ず、これでは、第３ビス６４を床側下地６３に打ち込んだ勢いで蹴込み板１９ｂの下端部が階段手前側にずれやすくなってしまう。
【００７２】
なお、最下段の踏み板１８ｂを最下段の蹴込み板１９ｂ及び最下段階段ユニッに固定する工程が第３工程に相当する。第３工程においては、桁側下地５４を踏み板１８ｂに固定する工程が桁側下地工程に相当し、踏み板１８ｂを蹴込み板１９ｂ及び側桁部５１の上に載せる工程がこの踏み板１８ｂを蹴込み板１９ｂに対する所定位置にセットする桁側セット工程に相当し、第１ビス５５を桁側下地５４及び側桁部５１に打ち込む工程が桁側打ち込み工程に相当し、蹴込み下地６１を踏み板１８ｂに取り付ける工程が蹴込み規制工程に相当する。
【００７３】
次に、階段１７の最上段及び上から２段目の構成について、図９〜図１３を参照しつつ説明する。図９は図３のＡ−Ａ線断面図、図１０は図３のＢ−Ｂ線断面図、図１１は踊り踏み板１８ｃ周辺の階段１７の分解斜視図、図１２は図３のＣ−Ｃ線断面図、図１３は床支持ユニット７７周辺の分解斜視図である。なお、図９〜図１２においては巾木５２の図示を省略している。
【００７４】
図９に示すように、一階部分１４においては、天井面が一階天井１４ｂにより形成されている。一階天井１４ｂは、天井小梁２５等により支持された野縁等の天井下地６６を有しており、天井面材２８は、天井小梁２５や天井下地６６に取り付けられている。天井面材２８は、石膏ボード等により形成された内装材である。
【００７５】
周縁壁部３２、中間壁部３３（図１０参照）及び階段下壁部３６は、ランナ（横桟）やスタッド（縦桟）により形成された壁下地６７と、この壁下地６７に取り付けられた壁面材６８とを有している。壁面材６８は石膏ボード等により形成された内装材である。周縁壁部３２においては、壁下地６７が天井大梁２２や床大梁２３に対して固定されており、中間壁部３３や階段下壁部３６においては、壁下地６７が一階床１４ａから上方に向けて延びた状態で立設されている。
【００７６】
上述したように、階段１７は周縁壁部３２や中間壁部３３に取り付けられている。この場合、中間壁部３３は階段支持体に相当する。また、これら壁部３２，３３の壁下地６７は階段１７を支持する階段下地としての役割を果たしている。ここで、周縁壁部３２においては、下側建物ユニット２０Ａの天井大梁２２と上側建物ユニット２０Ｂの床大梁２３とが集合した部分に対して階段下地板材６９が設けられており、天井大梁２２や床大梁２３ではなくこの階段下地板材６９に対して階段１７が固定されている。階段下地板材６９は、大梁２２，２３と壁面材６８との間において、大梁２２，２３に架け渡された状態で設けられている。
【００７７】
階段下地板材６９には、踊りユニット４７が固定されている。周縁壁部３２には、踊りユニット４７を下方から支持する階段受け部材７１が取り付けられている。階段受け部材７１は、壁幅方向に延びた長尺部材であり、ビス等により階段下地板材６９に対して固定されている。踊りユニット４７は、階段受け部材７１の上に載せられた状態で、階段下地板材６９に対してビス等により固定されている。
【００７８】
踊りユニット４７は、踊り踏み板１８ｃ及び蹴込み板１９ｃに加えて、踊り踏み板１８ｃを支持した踊り桁部７２と、踊り桁部７２を踊り踏み板１８ｃに固定した踊り下地７３を有している。踊り桁部７２は、踊り踏み板１８ｃから下方に向けて延びた板材であり、踊り踏み板１８ｃの周縁部に沿って延びている。踊り下地７３は、踊り踏み板１８ｃと踊り桁部７２との入隅部分に配置されており、これら踊り踏み板１８ｃ及び踊り桁部７２の両方に対してビス等により固定されている。踊り桁部７２は、階段受け部材７１の上に載せられており、ビス等により階段下地板材６９に対して固定されている。
【００７９】
階段１７の最上段については、蹴込み板１９ａの裏側から階段框１８ａに対してビスが打ち込まれることで、蹴込み板１９ａが階段框１８ａに固定されている。また、蹴込み板１９ａは、踊り踏み板１８ｃの側端面に重ねられており、ビスにより踊り踏み板１８ｃに対して固定されている。階段框１８ａは、張り出し床部３１と共に第２床梁４１ｂの上に載せられており、階段框１８ａはビスにより第２床梁４１ｂに対して固定されている。
【００８０】
一階天井１４ｂの上方には天井裏空間７５が設けられている。天井裏空間７５は、一階天井１４ｂと二階床１５ａとの間の空間であり、床梁４１ａ〜４１ｃなどが天井裏空間７５に配置されている。踊り踏み板１８ｃは、二階床１５ａよりも低く且つ一階天井１４ｂよりも高い位置に配置されており、天井裏空間７５は、踊り踏み板１８ｃと一階天井１４ｂとの間にも配置されている。この場合、踊り踏み板や階段受け部材７１、踊り桁部７２、踊り下地７３が天井裏空間７５に配置されている。
【００８１】
図１０、図１１に示すように、天井裏空間７５において、中間壁部３３の上には、二階床１５ａの張り出し床部３１を下方から支持した床支持ユニット７７が設けられている。床支持ユニット７７は、全体として上下方向に延びた矩形柱状に形成されており、階段空間１６において張り出し床部３１の隅角部の下方に配置されている。この場合、床支持ユニット７７は、第１床梁４１ａと第２床梁４１ｂとの接続部分を下方から支持していることになる。このため、張り出し床部３１において、人などからの荷重が自由端側の隅角部に加えられたとしても、その隅角部が下がる向きに張り出し床部３１が変形することが床支持ユニット７７により抑制される。
【００８２】
図１２に示すように、中間壁部３３の壁下地６７は、中間壁部３３の側端部に配置された側端下地部６７ａと、中間壁部３３の中間位置に配置された中間下地部６７ｂとを有している。側端下地部６７ａは、中間壁部３３の両側端部のそれぞれに配置されており、中間下地部６７ｂは、これら側端下地部６７ａを連結した状態になっている。側端下地部６７ａは、複数の木材が組み合わされることで全体として矩形柱状に形成されており、側端下地部６７ａの上に床支持ユニット７７が載せられている。なお、壁面材６８は、側端下地部６７ａと中間下地部６７ｂとに架け渡された状態で、これら下地部６７ａ，６７ｂのそれぞれに固定されている。
【００８３】
図１０、図１１の説明に戻り、床支持ユニット７７は、張り出し床部３１に加えて踊り踏み板１８ｃを下方から支持している。踊りユニット４７は、踊り踏み板１８ｃを下方から支持する踊り支持部材４７ａを有しており、この踊り支持部材４７ａが床支持ユニット７７の上に載せられている。踊り支持部材４７ａは、踊り踏み板１８ｃの四隅のうち踊り桁部７２が設けられていない隅角部に配置されており、踊り踏み板１８ｃの下側から側方に向けて突出している。また、踊り支持部材４７ａは、蹴込み板１９ｃが延びた方向において、この蹴込み板１９ｃに横並びに配置されている。
【００８４】
踊り支持部材４７ａには、下方及び側方に向けて凹んだ切り欠き部４７ｂが設けられており、踊り踏み板１８ｃは、切り欠き部４７ｂに入り込んだ状態で踊り支持部材４７ａの上に載せられている。切り欠き部４７ｂの内周面においては、その底面に踊り踏み板１８ｃの下面が重ねられ、その側面に踊り踏み板１８ｃの側端面が重ねられており、この状態で接着剤やビス等により踊り支持部材４７ａが踊り踏み板１８ｃに固定されている。
【００８５】
床支持ユニット７７は、上方に向けて突出した突出部分７７ａを有しており、踊り支持部材４７ａは、突出部分７７ａに横並びに配置されている。突出部分７７ａは、第１床梁４１ａと第２床梁４１ｂとの接続部分の下方位置に配置されており、これら床梁４１ａ，４１ｂの各先端部を下方から支持している。踊り支持部材４７ａは、床梁４１ａ，４１ｂから下方に離間しており、この離間部分に踊り踏み板１８ｃが入り込んだ状態になっている。この場合、踊り踏み板１８ｃは、突出部分７７ａの側方位置に配置されている。
【００８６】
図１０、図１３に示すように、床支持ユニット７７は、張り出し床部３１を下方から支持した床支持部材８１と、この床支持部材８１の高さ位置を設定するスペーサ部材８２と、これら床支持部材８１とスペーサ部材８２とを連結した連結板材８３と、床支持部材８１に重ねられた第１重ね板材８４と、スペーサ部材８２に重ねられた第２重ね板材８５とを有している。
【００８７】
図１２、図１３に示すように、床支持部材８１及びスペーサ部材８２は、いずれも矩形枠状に形成されており、これら部材８１，８２は、床支持ユニット７７の厚み方向に開放されている。床支持部材８１及びスペーサ部材８２は、一対の縦枠材８１ａ，８２ａと、これら縦枠材８１ａ，８２ａの上端部を連結した上枠材８１ｂ，８２ｂと、縦枠材８１ａ，８２ａの下端部を連結した下枠材８１ｃ，８２ｃとを有している。この場合、一対の縦枠材８１ａ，８２ａは、床支持ユニット７７の幅方向に並べられ、枠材８１ｂ，８２ｂ，８１ｃ，８２ｃは、床支持ユニット７７の幅方向に延びている。
【００８８】
上枠材８１ｂ，８２ｂ及び下枠材８１ｃ，８２ｃは、一対の縦枠材８１ａ，８２ａの間において、縦枠材８１ａ，８２ａから上方や下方に突出しない位置に配置されている。この場合、床支持部材８１及びスペーサ部材８２の高さ寸法は、縦枠材８１ａ，８２ａの長さ寸法（高さ寸法）により規定される。
【００８９】
なお、床支持部材８１及びスペーサ部材８２においては、ビス等が縦枠材８１ａ，８２ａを貫通して上枠材８１ｂ，８２ｂ及び下枠材８１ｃ，８２ｃに打ち込まれている。この場合、ビス等は、張り出し床部３１から床支持部材８１やスペーサ部材８２に加えられる荷重方向に交差する方向（例えば水平方向）に延びている。
【００９０】
図１０〜図１３に示すように、床支持部材８１及びスペーサ部材８２は、同じ幅寸法を有している一方で、床支持部材８１の奥行き寸法はスペーサ部材８２の奥行き寸法より小さくなっている。連結板材８３は、床支持ユニット７７の奥行き方向において床支持部材８１及びスペーサ部材８２に横並びに配置されており、その板面が縦枠材８１ａ，８２ａや上枠材８１ｂ，８２ｂ、下枠材８１ｃ，８２ｃの側端面に重ねられている。この場合、連結板材８３は、床支持部材８１とスペーサ部材８２とに架け渡され、且つこれら部材８１，８２の各開放部分を塞いだ状態になっている。なお、連結板材８３は、矩形状に形成された合板等のバッキング材であり、ビス等により床支持部材８１及びスペーサ部材８２のそれぞれに固定されている。
【００９１】
床支持ユニット７７の厚み方向において、第１重ね板材８４は床支持部材８１を挟んで連結板材８３の反対側に配置され、第２重ね板材８５はスペーサ部材８２を挟んで連結板材８３の反対側に配置されている。この場合、第１重ね板材８４は、床支持部材８１の枠材８１ａ〜８１ｃの各側端面に重ねられており、床支持部材８１の開放部分を塞いだ状態になっている。なお、第１重ね板材８４は、床支持部材８１の一対の縦枠材８１ａに架け渡された架け渡し板材に相当する。
【００９２】
第２重ね板材８５は、スペーサ部材８２の枠材８２ａ〜８２ｃの各側端面に重ねられており、スペーサ部材８２の開放部分を塞いだ状態になっている。なお、重ね板材８４，８５は、いずれも矩形状に形成された合板等のバッキング材であり、ビス等により床支持部材８１及びスペーサ部材８２に固定されている。
【００９３】
第１重ね板材８４は、床支持部材８１がスペーサ部材８２よりも薄い分だけ、第２重ね板材８５よりも連結板材８３に近い位置に配置されており、これによって、連結板材８３に向けて凹んだ凹み部分７７ｂが床支持ユニット７７に形成されている。この場合、連結板材８３の上部、床支持部材８１及び第１重ね板材８４により突出部分７７ａが形成されており、床支持部材８１とスペーサ部材８２との奥行き寸法の差が凹み部分７７ｂの奥行き寸法になっている。
【００９４】
踊り支持部材４７ａは、凹み部分７７ｂに収納されており、これによって、第１重ね板材８４を挟んで突出部分７７ａに横並びに配置されている。この場合、踊り支持部材４７ａの奥行き寸法は、凹み部分７７ｂの奥行き寸法に同じになっている。
【００９５】
図１０に示すように、床支持ユニット７７においては、第４ビス８６により床支持部材８１とスペーサ部材８２とが固定されている。第４ビス８６は、床支持部材８１の下枠材８１ｃを貫通してスペーサ部材８２の上枠材８２ｂに上方から打ち込まれている。なお、第４ビス８６は、上枠材８２ｂを貫通して下枠材８１ｃに下方から打ち込まれていてもよい。
【００９６】
床支持部材８１は、第５ビス８７により第１床梁４１ａに固定されている。第５ビス８７は、床支持部材８１の上枠材８１ｂを貫通して第１床梁４１ａの下面部に下方から打ち込まれている。スペーサ部材８２は、第６ビス８８により中間壁部３３に固定されている。第６ビス８８は、スペーサ部材８２の下枠材８２ｃを貫通して中間壁部３３の側端下地部６７ａに打ち込まれている。
【００９７】
踊り支持部材４７ａは、第７ビス８９により床支持ユニット７７に固定されている。第７ビス８９は、踊り支持部材４７ａを貫通して第１重ね板材８４に打ち込まれている。ここで、第７ビス８９が第１重ね板材８４を貫通して床支持部材８１に達している場合、この第７ビス８９は、踊り支持部材４７ａを床支持部材８１に直接的に固定していることになる。また、第７ビス８９が一対の縦枠材８１ａの間に打ち込まれるなどして床支持部材８１に達していない場合でも、踊り支持部材４７ａは第１重ね板材８４を介して床支持部材８１に間接的に固定されていることになる。
【００９８】
なお、踊り場については、踊りユニット４７が下段階段ユニットに相当し、踊り踏み板１８ｃが下段踏み板に相当し、蹴込み板１９ｃが下段蹴込み板に相当し、踊り支持部材４７ａが踏み板支持部材に相当する。また、第５ビス８７が床支持部材８１を第１床梁４１ａに連結した連結具に相当し、床支持部材８１の縦枠材８１ａが縦材に相当し、上枠材８１ｂが横材に相当する。さらに、第７ビス８９が踊り支持部材４７ａを床支持部材８１に固定した固定具に相当する。
【００９９】
次に、踊りユニット４７の設置手順について簡単に説明する。二階部分１５の張り出し床部３１、周縁壁部３２及び中間壁部３３を構築した後、中間壁部３３の上にスペーサ部材８２を載せ、第６ビス８８を用いてスペーサ部材８２を中間壁部３３に固定する。この場合、作業者は、スペーサ部材８２に板材８３〜８５が取り付けられていないことに起因して、一対の縦枠材８２ａの間の空間を作業スペースとして利用して第６ビス８８の打ち込み作業を行うことができる。
【０１００】
その後、スペーサ部材８２と第１床梁４１ａとの間に床支持部材８１を側方から挿し入れ、第５ビス８７を用いて床支持部材８１を第１床梁４１ａに固定するとともに、第４ビス８６を用いて床支持部材８１をスペーサ部材８２に固定する。この場合、作業者は、床支持部材８１に板材８３〜８５が取り付けられていないことに起因して、一対の縦枠材８１ａの間の空間を作業スペースとして利用して第４ビス８６及び第５ビス８７の打ち込み作業を行うことができる。
【０１０１】
そして、床支持部材８１及びスペーサ部材８２に板材８３〜８５をビス等により固定する。なお、連結板材８３と重ね板材８４，８５とのうち一方を取り付けた状態で、第４ビス８６〜第６ビス８８の打ち込み作業を行い、その後、残りの板材を取り付けてもよい。この場合でも、一対の縦枠材８１ａの間の空間や、一対の縦枠材８２ａの間の空間をビス８６〜８８を打ち込むための作業スペースとして利用することができる。
【０１０２】
このようにして床支持ユニット７７を設置した後、踊りユニット４７の踊り支持部材４７ａを床支持部材８１の側方においてスペーサ部材８２の上に載せ、第７ビス８９を用いて踊り支持部材４７ａを床支持部材８１に対して固定する。なお、あらかじめ階段受け部材７１を周縁壁部３２に取り付けておき、踊りユニット４７を階段受け部材７１と床支持ユニット７７とに架け渡すようにして仮置きし、この状態で、床支持ユニット７７に対する踊り支持部材４７ａの固定作業、及び階段受け部材７１に対する踊り桁部７２の固定作業を行う。
【０１０３】
以上詳述した本実施形態によれば、以下の優れた効果が得られる。
【０１０４】
床支持部材８１と踊り支持部材４７ａとが中間壁部３３の上において横並びに配置されているため、床支持部材８１及び踊り支持部材４７ａのうち一方が中間壁部３３に対して上下に重ならない位置（側方にずれた位置）に配置された構成とは異なり、張り出し床部３１や踊り踏み板１８ｃの幅寸法を小さくすることや、これら張り出し床部３１や踊り踏み板１８ｃの位置を側方にずらすことを回避できる。しかも、床梁４１ａ，４１ｂ及び踊り踏み板１８ｃが床支持部材８１を介して中間壁部３３の上に載せられた状態になるため、中間壁部３３により張り出し床部３１及び踊り踏み板１８ｃの両方を適正に支持することができる。
【０１０５】
床梁４１ａ，４１ｂは、階段空間１６に向けて延出した状態で設けられているため、それぞれの先端部が下がる向きで撓むことが懸念されるが、床支持部材８１が床梁４１ａ，４１ｂの接続部分の下方位置に配置されているため、これら床梁４１ａ，４１ｂの撓みを確実に抑制できる。しかも、第１床梁４１ａ及び第２床梁４１ｂは、張り出し床部３１の第１辺３１ａ及び第２辺３１ｂに沿って延びているため、床支持部材８１により床梁４１ａ，４１ｂの撓みを抑制することで、張り出し床部３１が左右にねじれるように撓むことを抑制できる。
【０１０６】
第５ビス８７により床支持部材８１が第１床梁４１ａに対して固定されているため、張り出し床部３１について、床支持部材８１と第１床梁４１ａとの間で床鳴りが発生することを抑制できる。また、第７ビス８９により踊り支持部材４７ａが床支持部材８１に対して固定されているため、踊り場について、踊り支持部材４７ａと床支持部材８１との間で床鳴りが発生することを抑制できる。さらに、踊りユニット４７においては、踊り支持部材４７ａが踊り踏み板１８ｃに対してあらかじめ固定されているため、踊り支持部材４７ａと踊り踏み板１８ｃとの間で床鳴りが発生することを抑制できる。
【０１０７】
床支持部材８１においては、第１床梁４１ａに打ち込まれた第５ビス８７が上枠材８１ｂを貫通しているため、床支持部材８１の高さ寸法（縦枠材８１ａの高さ寸法）に関係なく上枠材８１ｂの高さ寸法を小さくすることが可能になっている。この場合、第５ビス８７として床支持部材８１の高さ寸法に合わせた長さの専用品を用いる必要がなく、汎用品を第５ビス８７として用いることでコスト負担を低減できる。
【０１０８】
床支持部材８１と踊り支持部材４７ａとの間に第１重ね板材８４が挟まれた状態になっているため、床支持部材８１を貫通した第７ビス８９が一対の縦枠材８１ａの間に打ち込まれたとしても、この第７ビス８９が第１重ね板材８４に打ち込まれることで、踊り支持部材４７ａを第１重ね板材８４を介して床支持部材８１に間接的に固定することができる。このため、第７ビス８９の打ち込み位置に関係なく、床支持部材８１に対する踊り支持部材４７ａの固定強度を適正に保持することができる。
【０１０９】
床支持ユニット７７に凹み部分７７ｂが設けられているため、床支持ユニット７７により床梁４１ａ，４１ｂを下方から支持した状態で、凹み部分７７ｂに踊り支持部材４７ａを設置することができる。つまり、床支持ユニット７７においては、床支持部材８１により踊り支持部材４７ａの設置スペースを確保することができる。このため、踊り踏み板１８ｃ等により踊りユニット４７が大型化しても、踊りユニット４７を凹み部分７７ｂに仮置きした状態で踊りユニット４７の固定作業を行うことができる。この場合、踊りユニット４７を片手で支持しながらもう一方の手で固定作業を行う必要がないため、踊り踏み板１８ｃをユニット化することで却って作業負担が増加するということを抑制できる。
【０１１０】
床支持ユニット７７がスペーサ部材８２を有しているため、床支持部材８１や踊り支持部材４７ａの高さ寸法が過剰に大きくなることを抑制できる。この場合、床支持部材８１や踊り支持部材４７ａが小型化されることになるため、これら支持部材８１，４７ａを設置する際の作業負担を低減できる。特に、工場にて下側建物ユニット２０Ａを製造する際に、中間壁部３３が一階天井１４ｂよりも上方に突出しない状態で構築されるため、中間壁部３３と床梁４１ａ，４１ｂとの離間距離がある程度大きくなることが想定される。このため、スペーサ部材８２により床支持部材８１や踊り支持部材４７ａの大型化が抑制されていることは、これら支持部材８１，４７ａを設置する際の作業負担を低減する上で効果的である。
【０１１１】
［第２の実施形態］
第２の実施形態では、建物１０が三階建てとされており、第２の実施形態について、上記第１の実施形態との相違点を中心に説明する。図１４は建物１０の概略図、図１５は上側建物ユニット２０Ｂの床部分の平面図、図１６は階段１７周辺の建物１０の縦断面図である。
【０１１２】
図１４に示すように、建物本体１２は、一階部分１４及び二階部分１５に加えて三階部分９１を有している。階段空間１６は、一階部分１４と二階部分１５と三階部分９１とに跨って設けられており、階段１７は、一階部分１４と二階部分１５とに架け渡された第１階段部９２ａと、二階部分１５と三階部分９１とに架け渡された第２階段部９２ｂとを有している。第１階段部９２ａ及び第２階段部９２ｂは、いずれも第１の実施形態の階段１７と同様に、平面視ロ字状に形成され、廻り階段部及び直階段部を２つずつ有している。
【０１１３】
建物１０において、複数の建物ユニット２０には、一階部分１４において階段１７の設置対象になっている一階建物ユニット２０Ｃと、二階部分１５において階段１７の設置対象になっている二階建物ユニット２０Ｄと、三階部分９１において階段１７の設置対象になっている三階建物ユニット２０Ｅとが含まれている。この場合、一階建物ユニット２０Ｃは、第１の実施形態における下側建物ユニット２０Ａと同じ構成を有しており、三階建物ユニット２０Ｅは、第１の実施形態における上側建物ユニット２０Ｂと同じ構成を有している。
【０１１４】
図１６に示すように、中間壁部３３は、一階床１４ａから上方に向けて延びた一階間仕切部９３ａと、二階床１５ａから上方に向けて延びた二階間仕切部９３ｂとを有している。一階間仕切部９３ａには第１階段部９２ａが取り付けられており、二階間仕切部９３ｂには第２階段部９２ｂが取り付けられている。一階間仕切部９３ａは、一階床１４ａと一階天井１４ｂとに架け渡された状態になっており、二階間仕切部９３ｂは、二階床１５ａと二階天井とに架け渡された状態になっている。なお、図１６においては、間仕切部９３ａ，９３ｂにドットハッチングを付してある。
【０１１５】
一階間仕切部９３ａの下方には一階床１４ａが存在しており、この一階間仕切部９３ａは、一階床１４ａ（一階建物ユニット２０Ｃの床小梁２６等）により下方から支持されている。これに対して、二階間仕切部９３ｂの下方には二階床１５ａが存在しておらず、二階間仕切部９３ｂは、二階建物ユニット２０Ｄに設けられた壁用床梁９４により下方から支持されている。
【０１１６】
図１５に示すように、二階建物ユニット２０Ｄの床部分は、基本的に、第１の実施形態の上側建物ユニット２０Ｂの床部分と同じ構成になっているが、第２床梁４１ｂに代えて壁用床梁９４が設けられ、第１床梁４１ａ及び第３床梁４１ｃに代えて連結床梁９５ａ，９５ｂが設けられている。壁用床梁９４は、第２床梁４１ｂよりも大きい長さ寸法を有しており、連結床梁９５ａよりも階段空間１６の内側に向けて延出している。この場合、壁用床梁９４は、床小梁２６や連結床梁９５ａ，９５ｂにより片持ち支持された状態になっている。
【０１１７】
壁用床梁９４は、二階間仕切部９３ｂの下端部に沿って延びており、二階間仕切部９３ｂは、この壁用床梁９４の上に設置されている。なお、連結床梁９５ａからの壁用床梁９４の延出寸法は、平面視において張り出し床部３１からの二階間仕切部９３ｂの延出寸法とほぼ同じになっている。
【０１１８】
ここで、図１６に図示はしていないが、中間壁部３３においては、壁用床梁９４を下方から支持する支持壁部が一階間仕切部９３ａの上に載せられている。これにより、壁用床梁９４が片持ち支持された構成でも、壁用床梁９４が撓むということを抑制している。この場合、支持壁部は、一階建物ユニット２０Ｃと二階建物ユニット２０Ｄとの境界線であるスタッキングラインＳＬを上下に跨ぐ位置に配置されている。
【０１１９】
本実施形態では、工場にて製造した建物ユニット２０が建築現場に運搬され、建築現場にて建物ユニット２０が設置されることで建物１０が構築されている。このため、一階建物ユニット２０Ｃ及び二階建物ユニット２０Ｄは、それぞれ一階間仕切部９３ａ及び二階間仕切部９３ｂが設置された状態で工場から建築現場に運搬される。ここで、支持壁部は、スタッキングラインＳＬを上下に跨ぐ位置に配置されることに起因して、工場において二階建物ユニット２０Ｄに設置しておくことはできず、建築現場において一階間仕切部９３ａと二階間仕切部９３ｂとの間に設置されることになる。
【０１２０】
一階建物ユニット２０Ｃが工場から建築現場に運搬される際に、支持壁部が壁用床梁９４を支持していないと、壁用床梁９４がその自重や二階間仕切部９３ｂからの荷重により下方に撓むことが懸念される。この場合、二階間仕切部９３ｂが変形する可能性が高くなってしまう。
【０１２１】
これに対して、本実施形態では、壁用床梁９４を支持するダミーレール９７が二階建物ユニット２０Ｄの床部分に対して仮取り付けされるようになっている。図１５、図１６に示すように、ダミーレール９７が二階建物ユニット２０Ｄに仮取り付けされた状態では、ダミーレール９７は、二階建物ユニット２０Ｄの長手方向に延び、且つ壁用床梁９４と床大梁２３とに架け渡されており、一端が壁用床梁９４に固定され、他端が床大梁２３に固定されている。ダミーレール９７の一部は壁用床梁９４に重ねられており、その重なった部分においてダミーレール９７と壁用床梁９４とがボルト等により仮固定されている。ダミーレール９７は、壁用床梁９４に横並びに配置されており、ダミーレール９７の側面と壁用床梁９４の側面とが重ねられた状態になっている。この場合、ダミーレール９７は、床大梁２３よりも下方に突出しない高さ位置に配置されている。
【０１２２】
二階建物ユニット２０Ｄは、ダミーレール９７が仮取り付けされた状態で工場から建築現場に運搬され、建築現場にて一階建物ユニット２０Ｃの上に設置される。そして、二階建物ユニット２０Ｄにおいては、壁用床梁９４を下方から支持する部材が一階間仕切部９３ａの上などに設置された後に、ダミーレール９７が壁用床梁９４から取り外される。これにより、壁用床梁９４が下方に撓まないように、一階間仕切部９３ａ及び二階間仕切部９３ｂにより中間壁部３３を構築することができる。
【０１２３】
［他の実施形態］
本発明は上記実施形態の記載内容に限定されず、例えば次のように実施されてもよい。
【０１２４】
（１）上記第１の実施形態では、床支持部材８１及び踊り支持部材４７ａがスペーサ部材８２を介して中間壁部３３の上に設けられていたが、これら支持部材８１，４７ａは、スペーサ部材８２を介さずに中間壁部３３の上に直接載せられていてもよい。この場合でも、床支持部材８１及び踊り支持部材４７ａの両方を中間壁部３３の壁下地６７に固定することで、これら支持部材８１，４７ａにより張り出し床部３１や踊り踏み板１８ｃを適正に支持することができる。
【０１２５】
（２）上記第１の実施形態では、連結具としての第５ビス８７が第１床梁４１ａに打ち込まれていたが、第５ビス８７は、第２床梁４１ｂに打ち込まれていてもよい。つまり、第５ビス８７は、床梁４１ａ，４１ｂの少なくとも一方に打ち込まれていてればよい。
【０１２６】
（３）上記第１の実施形態では、連結具や固定具として第５ビス８７や第７ビス８９を用いたが、連結具や固定具としては、釘やネジ、ステープルなどを用いてもよい。
【０１２７】
（４）上記第１の実施形態では、第１床梁４１ａと第２床梁４１ｂとの接続部分の下方に床支持部材８１が配置されていたが、床支持部材８１は、これら床梁４１ａ，４１ｂの接続部分を避けて、床梁４１ａ，４１ｂのうち一方の下方位置に配置されていてもよい。この場合、第５ビス８７は、床梁４１ａ，４１ｂのうち、床支持部材８１の上方に配置された方に打ち込まれることになり、第５ビス８７が打ち込まれた方の床梁が上階床梁に相当することになる。
【０１２８】
（５）上記第１の実施形態では、床支持部材８１及びスペーサ部材８２において、一対の縦枠材８１ａ，８２ａの間に上枠材８１ｂ，８２ｂが設けられていたが、上枠材８１ｂ，８２ｂは、一対の縦枠材８１ａ，８２ａの上に載せられていてもよい。この場合でも、床支持部材８１やスペーサ部材８２の高さ寸法よりも上枠材８１ｂ，８２ｂの高さ寸法が小さい構成を実現できる。
【０１２９】
特に、床支持部材８１については、縦枠材８１ａや上枠材８１ｂといった複数の部材を組み合わせるのではなく、１つの部材によりコ字状やロ字状に形成されていてもよい。この場合でも、床支持部材８１の高さ寸法よりも上枠部分の高さ寸法が小さい構成を実現することで、連結具としての第５ビス８７を非常に長い専用品とする必要がない。
【０１３０】
（６）上記第１の実施形態では、階段１７が平面視でロ字状の廻り階段になっていたが、階段１７は、平面視でＪ字状の廻り階段になっていてもよい。例えば、階段１７が直階段部と廻り階段部とを１つずつ有した構成とする。この構成でも、踊り踏み板１８ｃと張り出し床部３１とを平面視で横並びに配置することが可能である。
【０１３１】
（７）上記第１の実施形態では、階段１７の上から２段目という１つの段により踊り場が形成されていたが、複数の段により踊り場が形成されていてもよい。例えば、上から２段目及び３段目により踊り場が形成された構成とする。この構成でも、上から２段目の下段踏み板を踊り支持部材４７ａにより支持し、この踊り支持部材４７ａをスペーサ部材８２の上において床支持部材８１に横並びに配置することが可能になっている。
【０１３２】
（８）上記第１の実施形態では、階段１７の上から２段目が踊り場とされていたが、上から２段目は踊り場でなくてもよい。この場合でも、上から２段目の踏み板が張り出し床部３１に平面視で横並びに配置される構成を実現することで、２段目の踏み板を支持する下段支持部材と床支持部材８１とを中間壁部３３の上に横並びに配置することができる。
【０１３３】
（９）建物１０は、ユニット式建物ではなく、枠組壁工法により構築されたスチールハウスや、在来木造工法により構築された建物とされていてもよい。これら建物においても、上階部において張り出し床部３１が設けられていれば、この張り出し床部３１が床支持部材８１により下方から支持された構成を実現することは可能である。
【０１３４】
［本明細書から抽出可能な他の発明について］
以下に、本明細書の開示範囲内において課題を解決するための手段欄に記載した発明以外に抽出可能な発明について、必要に応じて効果等を示しつつ説明する。
【０１３５】
上下に隣り合う上階部（二階部分１５）及び下階部（一階部分１４）と、
前記上階部と前記下階部とに架け渡された階段（階段１７）と、
前記上階部に設けられ、前記階段が取り付けられた上階壁部（二階間仕切部９３ｂ）と、
一端を自由端とした状態で前記上階壁部の下側に設けられ、該上階壁部を下方から支持する壁用床梁（壁用床梁９４）と、
前記壁用床梁の先端部から側方に離間した位置に設けられた構造体（床大梁２３）と、
を備え、
前記壁用床梁の自由端を前記構造体に対して連結する仮設レール（ダミーレール９７）を、これら壁用床梁及び構造体に仮取り付け可能な構成であることを特徴とする建物。
【０１３６】
下階壁部等の支持体により壁用床梁が下方から支持された構成では、壁用床梁の自由端が下がるなど壁用床梁が撓むことを支持体により抑制できる。ところが、建物の構築中においては、壁用床梁を設置した後、下階壁部等の支持体を設置するまでの間に壁用床梁が上階壁部からの荷重などにより撓むことが懸念される。
【０１３７】
これに対して、上記構成によれば、仮設レールにより壁用床梁の自由端を構造体に連結することが可能になっているため、下階壁部等の支持体を設置していない状態でも、壁用床梁が撓むことを仮設レールにより抑制できる。
【符号の説明】
【０１３８】
１０…建物、１４…下階部としての一階部分、１４ａ…下階床としての一階床、１５…上階部としての二階部分、１５ａ…上階床としての二階床、１６…階段空間、１７…階段、１８ｃ…踊り踏み板としての下段踏み板、１９ｃ…下段蹴込み板としての蹴込み板、３１…張り出し床部、３１ａ…張り出し床部の一対の辺のうち一方としての第１辺、３１ｂ…他方としての第２辺、３３…階段支持体としての中間壁部、４１ａ…上階床梁としての第１床梁、４１ｂ…交差床梁としての第２床梁、４７…下段階段ユニットとしての踊りユニット、４７ａ…踏み板支持部材としての踊り支持部材、８１…床支持部材、８１ａ…縦材としての縦枠材、８１ｂ…横材としての上枠材、８２…スペーサ部材、８４…架け渡し板材としての第１重ね板材、８７…連結具としての第５ビス、８９…固定具としての第７ビス。
【図１】
0006452520.tif 000002
【図２】
0006452520.tif 000003
【図３】
0006452520.tif 000004
【図４】
0006452520.tif 000005
【図５】
0006452520.tif 000006
【図６】
0006452520.tif 000007
【図７】
0006452520.tif 000008
【図８】
0006452520.tif 000009
【図９】
0006452520.tif 000010
【図１０】
0006452520.tif 000011
【図１１】
0006452520.tif 000012
【図１２】
0006452520.tif 000013
【図１３】
0006452520.tif 000014
【図１４】
0006452520.tif 000015
【図１５】
0006452520.tif 000016
【図１６】
0006452520.tif 000017